(57)【要約】【課題】巻取りコアにインクリボンを適切に巻き込むことができると共に、リボン経路上のインクリボンにシワ等が生じることなく、適切に張りを与えることができる。【解決手段】繰出し軸体４１および繰出し軸体４１に固定した繰出しプーリ４２を有する繰出しユニット２２と、巻取り軸体４３および巻取り軸体４３に固定した巻取りプーリ４４を有する巻取りユニット２３と、巻取り軸体４３および繰出し軸体４１を支持する支持フレーム２４と、主軸３４ａに駆動プーリ３５を固定した単一の駆動モータ３４と、駆動プーリ３５、繰出しプーリ４２および巻取りプーリ４４間に掛け渡した丸ベルト２６と、を備え、繰出しプーリ４２の径は、巻取りプーリ４４の径より、大きく形成されている。【選択図】図２
2008213382.tif 000002
【特許請求の範囲】
【請求項１】
リボン経路を経由して繰出しコアから繰出したインクリボンの巻取り端部を巻取りコアに貼着した状態の、前記繰出しコアおよび前記巻取りコアに臨み、前記巻取りコアに前記巻取り端部を複数回巻き付ける、インクリボン巻付け装置であって、
前記繰出しコアに軸方向から接触し、前記繰出しコアを回転させる繰出し軸体および前記繰出し軸体に固定した繰出しプーリを有する繰出しユニットと、
前記巻取りコアに軸方向から接触し、前記巻取りコアを回転させる巻取り軸体および前記巻取り軸体に固定した巻取りプーリを有する巻取りユニットと、
前記巻取り軸体および前記繰出し軸体を回転自在に支持する支持フレームと、
前記支持フレームに取り付けられ、前記巻取り軸体および前記繰出し軸体を回転させると共に、主軸に駆動プーリを固定した単一の駆動モータと、
前記駆動プーリ、前記繰出しプーリおよび前記巻取りプーリ間に掛け渡したベルトと、を備え、
前記繰出しプーリの径は、前記巻取りプーリの径より、大きく形成されていることを特徴とするインクリボン巻付け装置。
【請求項２】
前記繰出し軸体と前記巻取り軸体とは、相互に略平行に配設されていることを特徴とする請求項１に記載のインクリボン巻付け装置。
【請求項３】
前記繰出し軸体と、前記巻取り軸体とは、略同一構造のスプラインで構成されていることを特徴とする請求項１または２に記載のインクリボン巻付け装置。
【請求項４】
前記支持フレームを介して、回転する前記繰出し軸体および前記巻取り軸体を、前記繰出しコアおよび前記巻取りコアに対し同時に離接させる移動機構を更に備えたことを特徴とする請求項１ないし３のいずれかに記載のインクリボン巻付け装置。
【発明の詳細な説明】
【技術分野】
【０００１】
本発明は、リボン経路を経由して繰出しコアから繰出したインクリボンの巻取り端部を巻取りコアに貼着した状態の、繰出しコアおよび巻取りコアに臨み、巻取りコアに巻取り端部を複数回巻き付けるインクリボン巻付け装置に関するものである。
【背景技術】
【０００２】
従来、インクリボン巻付け装置ではないが、テープカートリッジの組み立てに際し、インクリボンをテープカートリッジに装着するインクリボンセット治具が知られている。このインクリボンセット治具は、繰出しコアおよび巻取りコアをそれぞれ回転止め状態で嵌合する一対の係止突起を有したコアセット部材と、繰出しコアおよび巻取りコアに掛け渡されたインクリボンをそのリボン経路状にガイドする経路セット部材と、を備えている（特許文献１参照）。このインクリボンセット治具は、インクリボンが繰出しコアおよび巻取りコアに巻回されたリボンアッセンブリを、テープカートリッジ上にセットされるセット形態と同形態で、当該インクリボンセット治具上に保持して、この状態で、インクリボンセット治具と共に、リボンアッセンブリをテープカートリッジ（下ケース）にセットした後、インクリボンセット治具（コアセット部材および経路セット部材）を抜き取ることにより、インクリボンを装着する。この場合、繰出しコアから繰り出したインクリボンを、巻取りコアに数回転分巻き込んだ状態でインクリボンのセットが行われる。
【特許文献１】特開平１１−２９１５９４号公報
【発明の開示】
【発明が解決しようとする課題】
【０００３】
ところで、このような下ケース（ケースカートリッジ）にインクリボンを組み込む作業を行おうとすると、下ケースにインクリボンを巻き込んだ繰出しコアと、単体の巻取りコアをセットし、繰出しコアからリボン経路に沿ってインクリボンの端を繰り出して巻取りコアに貼着し、その後巻取りコアに数回転させてインクリボンを張ると共に巻き取りコアに数回転分インクリボンを巻き込むことになる。
インクリボンの巻取りコアへの巻き込みは、巻込みコアに軸方向から押圧接触する回転軸部材を用いることが好ましい。
【０００４】
しかしながら、巻取りコアのみを回転させて巻き取りを行うと、巻取り力により繰出しコアが傾いてインクリボンが斜走したり（シワの発生）、急激な回転力により、インクリボンが破断するという問題がある。また、巻込み停止時に繰出しコアがオーバー回転しリボン経路上のインクリボンにたるみを生じてしまうという問題が起きる。
【０００５】
本発明は、巻取りコアにインクリボンを適切に巻き込むことができると共に、リボン経路上のインクリボンにシワ等が生じることなく、適切に張りを与えることができるインクリボン巻付け装置を提供することを課題としている。
【課題を解決するための手段】
【０００６】
本発明のインクリボン巻付け装置は、リボン走行経路を経由して繰出しコアから繰出したインクリボンの巻取り端部を巻取りコアに貼着した状態の、繰出しコアおよび巻取りコアに臨み、巻取りコアに巻取り端部を複数回巻き付ける、インクリボン巻付け装置であって、繰出しコアに軸方向から接触し、繰出しコアを回転させる繰出し軸体および繰出し軸体に固定した繰出しプーリを有する繰出しユニットと、巻取りコアに軸方向から接触し、巻取りコアを回転させる巻取り軸体および巻取り軸体に固定した巻取りプーリを有する巻取りユニットと、巻取り軸体および繰出し軸体を回転自在に支持する支持フレームと、支持フレームに取り付けられ、巻取り軸体および繰出し軸体を回転させると共に、主軸に駆動プーリを固定した単一の駆動モータと、駆動プーリ、繰出しプーリおよび巻取りプーリ間に掛け渡したベルトと、を備え、繰出しプーリの径は、巻取りプーリの径より、大きく形成されていることを特徴とする。
【０００７】
この構成によれば、駆動モータを駆動すると、ベルトを介して、繰出し軸体および巻取り軸体が同方向に回転する。これにより、繰出しコアからのインクリボンの繰出しと、巻取りコアのインクリボンの巻込みとが同時に行われる。そのため、インクリボンにシワが生じたり、インクリボンが破断する等の問題を抑えて、インクリボンを適切に巻き込むことができる。また、繰出しプーリの径が巻取りプーリの径より大きく形成されているため、繰出しコアに対し、巻取りコアを高速回転させることができ、適切に張りを与えることができる。なお、繰出しコアと巻取りコアの回転数差は、ベルトのすべりや繰出しコアと繰出し軸体のすべり、および巻取りコアと巻取り軸体のすべりにより吸収される。また、ベルトとしてはすべりがあるものが好ましく、例えば、丸ベルトや平ベルト等で構成されている。
【０００８】
この場合、繰出し軸体と巻取り軸体とは、相互に略平行に配設されていることが好ましい。
【０００９】
この構成によれば、繰出しコアおよび巻取りコアを略平行に回転させることができ、巻取りコア上でインクリボンが斜行することを抑えることができる。
【００１０】
この場合、繰出し軸体と、巻取り軸体とは、略同一構造のスプラインで構成されていることが好ましい。
【００１１】
この構成によれば、繰出し軸体を繰出しコアにおよび巻取り軸体を巻取りコアに押圧接触させることができると共に、軸方向の長さの異なる繰出しコアおよび巻取りコアにも対応させることができる。
【００１２】
この場合、支持フレームを介して、回転する繰出し軸体および巻取り軸体を、繰出しコアおよび巻取りコアに対し同時に離接させる移動機構を更に備えたことが好ましい。
【００１３】
この構成によれば、繰出し軸体および巻取り軸体を、繰出しコアおよび巻取りコアに同時に当接させることで、繰出しコアおよび巻取りコアの回転を同時に開始することができる。また、繰出し軸体および巻取り軸体を、繰出しコアおよび巻取りコアから同時に離間させることで、繰出しコアおよび巻取りコアの回転を同時に停止させることができる。これにより、タイマー制御で、巻取りコアへのインクリボンの巻込み量を簡単に調整することができる。
【発明を実施するための最良の形態】
【００１４】
以下、添付図面を参照して、本発明を適用したインクリボン巻付け装置について説明する。このインクリボン巻付け装置は、インクリボンをテープカートリッジ（厳密には後述するカートリッジケースの下ケース）にセットする際に、繰出しコアに巻回され、繰出しコアから繰出された繰出し端部がリボン経路を経由して巻取りコアに貼着されたインクリボンを、巻取りコアにわずかに巻き付けるものである。
ここで、インクリボン巻付け装置について説明する前に、テープカートリッジについて簡単に説明する。
【００１５】
図１に示すように、テープカートリッジ１は、印刷テープ（図示省略）およびインクリボンＲが収納されたものであり、上ケース（図示省略）と下ケース３とから成るカートリッジケース４により外殻が形成されている。印刷テープおよびインクリボンＲは、下ケース３にセットした後、上ケースを被せることにより収納される。
【００１６】
カートリッジケース４は、その内部に、印刷テープを収納するテープ収納部１１と、インクリボンＲを収納するリボン収納部１２と、を備えている。テープカートリッジ１は、テープ収納部１１に印刷テープを、リボン収納部１２にインクリボンＲを、それぞれ収納した状態で、下ケース３に上ケースを嵌合して組み立てられている。このため、専用治具により分解組立が可能となっており、印刷テープとインクリボンＲが使い終わると詰め替えが可能である。また、印刷テープへの印刷が印刷テープの終端まで行えるよう、印刷テープの長さに対しインクリボンＲは長く形成されている。
【００１７】
リボン収納部１２は、テープカートリッジ１（上ケースおよび下ケース３）で回転自在に取り付けられた繰出しコア１５および巻取りコア１６と、インクリボンＲをリボン経路に沿ってガイドするリボン案内ガイド１７と、を備えている。テープカートリッジ１の組み立てに際し、上ケースを装着する前に、インクリボンＲは、繰出しコア１５に巻回されると共に、繰出しコア１５から繰出された繰出し端部が、リボン経路を通って巻取りコア１６に貼着される。これにより、初期セットが行われることになる。その後、上記インクリボン巻付け装置２１により、インクリボンＲを巻取りコア１６にわずかに（数回転から十数回転）巻きつけられる。
【００１８】
本実施形態のインクリボン巻付け装置２１は、テープカートリッジ１の組み立てラインに配設されており、インクリボン巻付け装置２１によるインクリボンＲの巻取りコア１６への巻付けの前工程として、繰出しコア１５および巻取りコア１６の下ケース３へのセットおよび、繰出しコア１５からインクリボンＲを繰出し、リボン経路を経て巻取りコア１６にその繰出し端部を貼着する工程（自動機による）を有している。また、後工程として繰出しコア１５のリボン巻込み量の測定、印刷テープの装着および上ケースを下ケース３へ組込む工程を有している。
【００１９】
次に、図２、図３および図４を参照して、インクリボン巻付け装置２１について説明する。これらの図に示すように、インクリボン巻付け装置２１は、図外のセットテーブルにセットされたカートリッジケース４の下ケース３に対し、巻取りコア１６へのインクリボンＲの巻き付けを行うものであり、繰出しコア１５にその軸方向から臨み、繰出しコア１５を回転させる繰出しユニット２２と、繰出しユニット２２に対し相互に平行に配設されると共に、巻取りコア１６にその軸方向から臨み、巻取りコア１６を回転させる巻取りユニット２３と、繰出しユニット２２および巻取りユニット２３を回転自在に支持する支持フレーム２４と、繰出しユニット２２および巻取りユニット２３と共に支持フレーム２４に支持され、繰出しユニット２２および巻取りユニット２３を回転させるモータユニット２５と、繰出しユニット２２、巻取りユニット２３およびモータユニット２５の各プーリ３５,４２,４４（後述する）に掛け渡された丸ベルト（以下ベルトという）２６と、支持フレーム２４を介して各ユニットを昇降する昇降機構（移動機構）２７と、を備えている。なお、インクリボン巻付け装置２１は、繰出しユニット２２および巻取りユニット２３を異なる回転速度で回転させることにより、繰出しコア１５および巻取りコア１６を異なる回転速度（巻取りコア１６を繰出しコア１５より早く回転させる）で回転させて、巻取りコア１６にインクリボンＲを巻き付けるようになっている。
【００２０】
支持フレーム２４は、上方から見てＴ字型（または、二等辺三角形（図４中の仮想線参照））に形成されており、その３方の端部でそれぞれ繰出しユニット２２、巻取りユニット２３、およびモータユニット２５を支持している。繰出しユニット２２および巻取りユニット２３の支持部分は上下方向に延在しており、支持フレーム２４に対し回転自在に支持されている。
【００２１】
モータユニット２５は、ギヤードモータ等で構成した駆動モータ３４と、駆動モータ３４の主軸３４ａに軸着された駆動プーリ３５と、を備えている。駆動モータ３４が駆動すると、駆動プーリ３５が回転し、ベルト２６を介して、繰出しユニット２２および巻取りユニット２３を同期して回転させる。なお、詳細は後述するが、巻取りユニット２３は、繰出しユニット２２より速い回転速度で回転する。
【００２２】
昇降機構２７は、支持フレーム２４を支持すると共に、支持フレーム２４を介して各ユニットを上下方向で移動させるものである。予め駆動モータ３５を駆動して繰出しユニット２２および巻取りユニット２３を回転させておき、この状態で、昇降機構２７により、繰出しユニット２２および巻取りユニット２３を降下させる。これにより、繰出しユニット２２および巻取りユニット２３を、繰出しコア１５及び巻取りコア１６に押圧接触させて両コア１５,１６を回転させる。また、回転を停止する際には、昇降機構２７により、繰出しユニット２２および巻取りユニット２３を上昇させて、押圧接触を解除することにより行う。すなわち、昇降機構２７によって各ユニットを昇降させることにより、繰出しコア１５および巻取りコア１６の回転開始、および停止が行われる。
【００２３】
繰出しユニット２２は、支持フレーム２４に回転自在に取り付けられた繰出し軸体４１と、繰出し軸体４１の上端部に取り付けられた繰出しプーリ４２を備えている。同時に、巻取りユニット２３は、支持フレーム２４に回転自在に取り付けられた巻取り軸体４３と、巻取り軸体４３の上端部に取り付けられた繰出しプーリ４４を備えている。上記のベルト２６は、駆動モータ３４の駆動プーリ３５、繰出しプーリ４２および巻取りプーリ４４に掛け渡されており、繰出しユニット２２および巻取りユニット２３は、モータユニット２５の駆動力を、ベルト２６を介して受け、それぞれ回転する。繰出しプーリ４２の径（直径）は巻取りプーリ４４の径（直径）より大きく形成されており、繰出しユニット２２は巻取りユニット２３より速い回転速度で回転することになる。
【００２４】
ところで、繰出し軸体４１と巻取り軸体４３とは、同一構造を有している。そこで、繰出し軸体４１を例に説明を進め巻取り軸体４３の説明は一部省略する。図５に示すように、繰出し軸体４１は、対応する繰出しコア１５に押圧接触する押圧パッド５１と、先端に押圧パッド５１が設けられると共に、尾端部（上端部）に上記の繰出しプーリ４２が取り付けられたスプライン軸５２と、スプライン軸５２に上下２箇所でスプライン係合する円筒状の一対のスプラインボス５３,５３と、一対のスプラインボス５３,５３が両端部内周面に回転止め状態で嵌合する外筒５４と、一対のスプラインボス５３,５３に対応し外筒５４の両端部外周面に固定され、支持フレーム２４に対し、外筒５４を軸方向に抜け止め状態で維持する一対の抜け止めリング５５,５５と、を備えている。また、繰出し軸体４１は、押圧パッド５１と下側のスプラインボス５３との間に介設され、スプライン軸５２を突出方向（下方）に付勢するコイルばね５６を、備えている。さらに、スプライン軸５２の上部には、コイルばね５６により下方に突出するスプライン軸５２の突出位置を規制するストッパ５７が固定されている。なお、図外の部品により、スプライン軸５２と駆動モータ３４の主軸３４ａが連結されており、スプライン軸５２の上下動に連動して主軸３４ａも上下動するようになっている。すなわち、駆動プーリ３５、繰出しプーリ４２および巻取りプーリ４４は、常に同一平面内に位置するようになっている。
【００２５】
上記の支持フレーム２４と外筒５４との間には、上下一対のベアリング３１が介設されており、繰出し軸体４１は、外筒５４を介して支持フレーム２４に両持ちで回転自在に軸支されている。また、外筒５４と両スプラインボス５３とは、回転止め状態で係合している。すなわち、繰出し軸体４１は全体として支持フレーム２４に回転自在に軸支され、かつ繰出し軸体４１のスプライン軸５２（および押圧パッド５１）は、一対のスプラインボス５３,５３（および外筒５４）に対し、上下方向にスライド自在に支持されている。
【００２６】
スプライン軸５２と一対のスプラインボス５３とは、いわゆるボールスプラインを構成しており、スプライン軸５２は、一対のスプラインボス５３,５３に対し、回転止め状態でかつ両持ちで上下方向にスライド自在に支持されている。これにより、各スプラインボス５３,５３に対するスプライン軸５２の回転方向のバッククラッシュを抑制しつつ軸方向のスライドを円滑に行うことができる。
この場合、ボールスプラインは、市販品が用いられており、外筒５４の上下両端部には、それぞれスプラインボス５３を保持するボス収納部５３ａが形成されている。
【００２７】
押圧パッド５１は、ゴム等で構成され、繰出しコア５１の間に生ずる摩擦力により、スプライン軸５２の回転を繰出しコア１５に伝達する。各抜止めリング５５は、太径部５５ａと細径部５５ｂとで一体に形成されており、上側の抜止めリング５５は、太径部５５ａを上として外筒５４に固定され、下側の抜止めリング５５は、太径部５５ａを下にして外筒５４に固定されている。各抜止めリング５５,５５の太径部５５ａにはそれぞれ、直径方向に対向配置されると共に、先端部が外筒５４の外周面に臨む一対の固定ねじ６１が形成されている。
【００２８】
コイルばね５６は、スプライン軸５２に巻回するように設けられており、上端を、座金５８を介して下側のスプラインボス５３に突き当てられ、下端を、押圧パッド５１の上面に突き当てられている。スプライン軸５２は、コイルばね５６に付勢されて、ストッパ５７が上側のスプラインボス５３に当接する突出位置で待機状態であり、昇降機構２７により、繰出しコア１５に突き当てられることにより、適宜スライドし、コイルばね５６を介して繰出しコア１５を押圧する。実際の動作では、スプライン軸５２は待機状態で回転を開始し、回転状態で、押圧パッド５１が繰出しコア１５を押圧し、繰出しコア１５を回転させる。
【００２９】
駆動モータ３４が回転すると、ベルト２６を介して繰出し軸体４１と巻取り軸体４３とが同期して回転する。この状態から、昇降機構２７により、支持フレーム２４を介して繰出し軸体４１および巻取り軸体４３を下降させ、繰出し軸体４１の押圧パッド５１を繰出しコア１５に、また巻取り軸体４３の押圧パッド５１を巻取りコア１６に同時に押圧接触させる。これにより、繰出しコア１５および巻取りコア１６が同時に回転し、繰出しコア１５から繰出されたインクリボンＲは、リボン経路を経て、巻取りコア１６に巻き取られてゆく。この場合、繰出しコア１５に対し巻取りコア１６は速く回転するため、巻取りコア１６は、インクリボンＲを張った状態でこれを巻き込んでゆく。回転する両押圧パッド５１,５１の繰出しコア１５および巻取りコア１６への押圧接触は、時間で管理されており（タイマー制御）、インクリボンＲを巻取りコア１６に数回（十数回）巻き取ったところで、昇降機構２７が駆動して、繰出し軸体４１および巻取り軸体４３を上昇させ、両押圧パッド５１,５１を繰出しコア１５および巻取りコア１６から引き離す。これにより、両コア１５,１６は、回転を停止し、動作を完了する。
【００３０】
このように相互に平行に配設した繰出しコア１５および巻取りコア１６を同時に回転させると共に、繰出しコア１５に対し巻取りコア１６を速く回転させることにより、繰出しコア１５からのインクリボンＲの繰出しと、巻取りコア１６のインクリボンＲの巻込みとが同時に行われる。そのため、インクリボンＲにシワが生じたり、インクリボンＲが破断する等の問題を抑えて、インクリボンＲを適切に巻き込むことができる。また、繰出しプーリ４２の径が巻取りプーリ４４の径より大きく形成されているため、繰出しコア１５に対し、巻取りコア１６を高速回転させることができ、適切に張りを与えることができる。なお、繰出しコア１５と巻取りコア１６の回転数の差は、ベルト２６のすべりや繰出しコア１５と繰出し軸体４１（の押圧パッド５１）のすべり、および巻取りコア１６と巻取り軸体４３（の押圧パッド５１）のすべりにより吸収される。
【００３１】
また、支持フレーム２４を介して、回転する繰出し軸体４１および巻取り軸体４３を、繰出しコア１５および巻取りコア１６に対し同時に離接させる昇降機構２７を有することにより、上記のようにタイマー制御で、巻取りコア１６へのインクリボンＲの巻込み量を簡単に調整することができる
【００３２】
さらに、繰出し軸体４１と、巻取り軸体４３とが、同一構造のスプラインで構成されていることにより、軸方向の長さの異なる繰出しコア１５および巻取りコア１６にも対応させることができる。
【００３３】
以上のような構成によれば、繰出しコア１５からのインクリボンＲの繰出しと、巻取りコア１６のインクリボンＲの巻込みとが同時に行われる。そのため、インクリボンＲにシワが生じたり、インクリボンＲが破断する等の問題を抑えて、インクリボンＲを適切に巻き込むことができる。また、繰出しプーリ４２の径が巻取りプーリ４４の径より大きく形成されているため、繰出しコア１５に対し、巻取りコア１６を高速回転させることができ、適切に張りを与えることができる。
【００３４】
なお、本実施形態においては、カートリッジケース４（下ケース３）上で、インクリボンＲを繰出しコア１５および巻取りコア１６に取り付けているが、繰出しコア１５および巻取りコア１６を取り外して、予めこれらにインクリボンＲを取り付けた後、カートリッジケース４にセットするものであっても良い。なお、この場合、巻取りコア１６への巻付け動作は、下ケース３から取り外された繰出しコア１５にインクリボンＲを巻回して、繰出し端部を巻取りコア１６に貼着した後に行われる。また、それに加え、カートリッジケース４にセットした後に行い、リボン経路上でインクリボンＲに張りを与えるようにしても良い。
【図面の簡単な説明】
【００３５】
【図１】テープカートリッジを示した斜視図である。
【図２】本実施形態のインクリボン巻付け装置を模式的に表した正面図である。
【図３】インクリボン巻付け装置を模式的に表した側面図である。
【図４】インクリボン巻付け装置を模式的に表した平面図である。
【図５】繰出しユニット廻りを示した側方断面図である。
【符号の説明】
【００３６】
１５：繰出しコア、  １６：巻取りコア、  ２１：インクリボン巻付け装置、  ２２：繰出しユニット、  ２３：巻取りユニット、  ２４：支持フレーム、  ２６：丸ベルト、  ２７：昇降機構、  ３４：駆動モータ、  ３４ａ：主軸、  ３５：駆動プーリ、  ４１：繰出し軸体、  ４２：繰出しプーリ、  ４３：巻取り軸体、  ４４：巻取りプーリ、  Ｒ：インクリボン
【図１】
2008213382.tif 000003
【図２】
2008213382.tif 000004
【図３】
2008213382.tif 000005
【図４】
2008213382.tif 000006
【図５】
2008213382.tif 000007